(57)【要約】【課題】  リンク回復の時間を短縮する。【解決手段】  電源投入後のトレーニングにより決定した回線プロファイルを回線プロファイル記憶装置２８の現用プロファイル情報２８ａに記憶し、この回線プロファイルでリンクを確立する。デフォールトよりも大きいＳＮＲマージン等により予備プロファイルを決定し、記憶装置２８に予備プロファイル情報２８ｂとして格納する。リンク断の際には、予備プロファイル情報２８ｂの予備プロファイルを使用し、トレーニング無しでリンクを回復する。【選択図】  図１
2005236854.tif 000002
【特許請求の範囲】
【請求項１】
電話線等のアナログ伝送線（１４）を介して外部のｘＤＳＬモデム装置（１２）との間で信号を伝送するｘＤＳＬモデム装置の制御方法であって、
当該アナログ伝送路（１４）の回線品質を測定するトレーニングステップ（Ｓ１、Ｓ２１）と、
当該トレーニングステップのトレーニング結果に従い当該アナログ伝送線の現用プロファイルとしての回線プロファイルを決定する現用プロファイル決定ステップ（Ｓ３、Ｓ２３）と、
決定された現用プロファイルでリンクを確立するリンク確立ステップ（Ｓ４，Ｓ２４）と、
予備プロファイルを準備する予備プロファイル準備ステップ（Ｓ５，Ｓ２５，Ｓ２６）と、
リンク断を検出するリンク断検出ステップ（Ｓ６、Ｓ２７）と、
リンク断の検出に応じて、当該予備プロファイルによりリンクを回復するリンク回復ステップ（Ｓ７，Ｓ８，Ｓ２８，Ｓ２９）
とを具備することを特徴とするｘＤＳＬモデム装置の制御方法。
【請求項２】
当該予備プロファイル準備ステップが、当該トレーニングステップで測定された回線品質と、予想される所定リンク断要因とに従い、当該予備プロファイルを決定することを特徴とする請求項１に記載のｘＤＳＬモデム装置の制御方法。
【請求項３】
当該予備プロファイル準備ステップが、
リンクが確立された状態で当該アナログ伝送路の回線品質を監視する回線品質監視ステップ（Ｓ２５）と、
当該回線品質監視ステップで得られた回線品質から当該予備プロファイルを算出する予備プロファイル算出ステップ（Ｓ２６）
とを具備することを特徴とする請求項１に記載のｘＤＳＬモデム装置の制御方法。
【請求項４】
当該予備プロファイル準備ステップが、
リンクが確立された状態で当該アナログ伝送路の回線品質を監視する回線品質監視ステップ（Ｓ２５）と、
当該回線品質監視ステップで得られた異なる時間での複数の回線品質に基づき当該予備プロファイルを算出する予備プロファイル算出ステップ（Ｓ２６）
とを具備することを特徴とする請求項１に記載のｘＤＳＬモデム装置の制御方法。
【請求項５】
当該予備プロファイル算出ステップが、
当該回線品質監視ステップで得られた回線品質にそれぞれ対応する複数の回線プロファイルを算出し、
当該複数の回線プロファイルに基づき当該予備プロファイルを算出する
ことを特徴とする請求項４に記載のｘＤＳＬモデム装置の制御方法。
【請求項６】
当該予備プロファイルが、当該現用プロファイルに適用されるＳＮＲマージンより大きなＳＮＲマージンにより決定される請求項１乃至５の何れか１項に記載のｘＤＳＬモデム装置の制御方法。
【請求項７】
電話線等のアナログ伝送線（１４）を介して外部のｘＤＳＬモデム装置（１２）との間で信号を伝送するｘＤＳＬモデム装置の制御方法であって、
当該アナログ伝送路（１４）の回線品質を測定するトレーニングステップ（Ｓ３１）と、
当該トレーニングステップのトレーニング結果に従い、当該アナログ伝送線の現用プロファイルとしての回線プロファイルを決定する現用プロファイル決定ステップ（Ｓ３３）と、
決定された現用プロファイルでリンクを確立するリンク確立ステップ（Ｓ３４）と、
リンク断を検出するリンク断検出ステップ（Ｓ３６）と、
リンク断の原因周波数を検出する周波数検出ステップ（Ｓ３７）と、
リンク断の原因周波数を除く回線プロファイルでリンクを回復するリンク回復ステップ（Ｓ３８，Ｓ３９，Ｓ４０）
とを具備することを特徴とするｘＤＳＬモデム装置の制御方法。
【請求項８】
更に、
当該アナログ伝送線の伝送帯域を区分する複数のバンドの複数の組み合わせに応じた回線プロファイルを準備するステップ（Ｓ３５）と、
準備された回線プロファイルから、リンク断の原因周波数を除く回線プロファイルを探索するステップ（Ｓ３８）
とを具備することを特徴とする請求項７に記載のｘＤＳＬモデム装置の制御方法。
【請求項９】
電話線等のアナログ伝送線（１４）を介して外部のｘＤＳＬモデム装置（１２）との間で信号を伝送するｘＤＳＬモデム装置であって、
当該アナログ伝送線（１４）の回線品質を測定する回線品質測定手段（２６ａ）と、
電源投入後に当該回線品質測定手段（２６ａ）で測定された回線品質に基づき、現用プロファイルを決定する現用プロファイル決定手段（２６ｂ，２８ａ）と、
リンク断後のリンク回復の際に適用される予備プロファイルを決定する予備プロファイル決定手段（２６，２６ｂ，２８ｂ）と、
リンク断を検出するリンク断検出手段（Ｓ６，Ｓ２７）と、
リンク断の検出に応じて、当該予備プロファイルでリンクを回復するリンク回復手段（Ｓ７，Ｓ８，Ｓ２８，Ｓ２９）
とを具備することを特徴とするｘＤＳＬモデム装置。
【請求項１０】
当該予備プロファイル決定手段が、電源投入後に当該回線品質測定手段で即査定される当該アナログ伝送路の回線品質と、予想される所定リンク断要因とに従い、当該予備プロファイルを決定することを特徴とする請求項９に記載のｘＤＳＬモデム装置。
【請求項１１】
当該予備プロファイル決定手段が、
リンクが確立された状態で当該回線品質測定手段に当該アナログ伝送路の回線品質を測定させる手段（２６）と、
リンクが確立された状態での当該アナログ伝送路の回線品質から当該予備プロファイルを算出する手段（２６ｂ）
とを具備することを特徴とする請求項９に記載のｘＤＳＬモデム装置。
【請求項１２】
当該予備プロファイル決定手段が、
リンクが確立された状態で当該回線品質測定手段に当該アナログ伝送路の回線品質を測定させる手段（２６）と、
リンクが確立された状態での異なる時刻での当該アナログ伝送路の複数の回線品質から当該予備プロファイルを算出する手段（２６ｂ）
とを具備することを特徴とする請求項９に記載のｘＤＳＬモデム装置。
【請求項１３】
当該予備プロファイル決定手段が、
リンクが確立された状態で当該回線品質測定手段に異なる時刻での当該アナログ伝送路の回線品質を測定させる手段と、
リンクが確立された状態での異なる時刻での当該アナログ伝送路の回線品質からそれぞれ対応する回線プロファイルを算出する手段と、
リンクが確立された状態での異なる時刻での複数の当該回線プロファイルから当該予備プロファイルを算出する手段
とを具備することを特徴とする請求項９に記載のｘＤＳＬモデム装置。
【請求項１４】
更に、リンクが確立された状態で当該回線品質測定手段により測定される当該アナログ伝送路の１以上の回線品質を示す情報を記憶する記憶手段（２８ｂ）を具備する請求項９乃至１３の何れか１項に記載のｘＤＳＬモデム装置。
【請求項１５】
更に、当該予備プロファイル決定手段により決定される予備プロファイルを記憶する記憶手段（２８ｂ）を具備する請求項９乃至１３の何れか１項に記載のｘＤＳＬモデム装置。
【請求項１６】
電話線等のアナログ伝送線（１４）を介して外部のｘＤＳＬモデム装置（１２）との間で信号を伝送するｘＤＳＬモデム装置であって、
当該アナログ伝送線（１４）の回線品質を測定する回線品質測定手段（２６ａ）と、
電源投入後に当該回線品質測定手段（２６ａ）で測定された回線品質に基づき、現用プロファイルを決定する現用プロファイル決定手段（２６ｂ，２８ａ）と、
当該アナログ伝送線の伝送帯域を区分する複数のバンドの複数の組み合わせにそれぞれ対応する複数の予備プロファイルを示す予備情報を記憶する予備情報記憶手段（２８ｂ）と、
リンク断を検出するリンク断検出手段と、
リンク断の原因周波数を検出する周波数検出手段と、
当該周波数検出手段の検出結果に従い、当該予備プロファイル情報記憶手段（２８ｂ）に記憶される複数の予備情報から、リンク断の原因周波数を除く１つの予備プロファイルを決定する予備プロファイル決定手段と、
決定された予備プロファイルでリンクを回復するリンク回復手段
とを具備することを特徴とするｘＤＳＬモデム装置。
【発明の詳細な説明】
【技術分野】
【０００１】
本発明は、ｘＤＳＬモデム装置のモデム制御方法及びｘＤＳＬモデム装置に関する。
【背景技術】
【０００２】
ｘＤＳＬモデム装置は、近距離でのデータ伝送、特に、電話線を介して加入者宅と電話交換局間で簡易にデータを伝送するためのモデム装置として、近年、急速に普及している。
【０００３】
既存の電話線を用いるｘＤＳＬ（ＡＤＳＬ、ＶＤＳＬ及びＳＤＳＬ等）伝送では、周波数の異なる複数のキャリアを使用する方式が使用され、各キャリアで転送するビット数を、回線品質を考慮して決定する。
【０００４】
ＶＤＳＬ伝送を例に説明すると、既存の電話回線の信号対雑音比（ＳＮＲ）を各キャリア毎に測定し、測定されたＳＮＲから任意に設定したＳＮＲマージン（ノイズマージン）を減算した結果に見合う伝送速度を各キャリアに設定する。測定されたＳＮＲからＳＮＲマージンを減算したＳＮＲを基準ＳＮＲと規定し、基準ＳＮＲに対して、所定のビットエラー率（ＢＥＲ）、例えば１０−７を満足して伝送できる最大の情報量（ビット数）を各チャネルに割当てる。伝送帯域内の各キャリアに搭載するビット数の分布を回線プロファイルと呼ぶ。
【０００５】
ノイズの影響により基準の伝送品質、即ち、基準ＳＮＲを維持できなくなると、確立していたリンクを断つ。リンク断が発生すると、トレーニングを再実行して回線品質を測定し、現在の伝送環境に合致する基準ＳＮＲを設定し、各チャネルに搭載するビット数を決定し、回線プロファイルを決定し、決定した回線プロファイルで再度、リンクを確立する。
【０００６】
電話線の測定されたＳＮＲが同じ場合、ＳＮＲマージンを大きくすることで、ノイズ耐力が向上する。しかし、基準ＳＮＲが小さくなるので、各チャネルに搭載できるビット数が少なくなり、伝送速度が低下する。逆に、ＳＮＲマージンを小さくすると、伝送速度が増大する。このように、ＳＮＲマージンと伝送速度とは、トレードオフの関係にある。
【０００７】
このように、従来のｘＤＳＬモデム装置は、電源投入直後に行われるのと同じ処理（回線品質を測定するトレーニングから回線プロファイルの決定まで）を、リンク断の後にも実行する。そして、決定した回線プロファイルの下でリンクを確立し、データ伝送を開始する。リンクの回復にトレーニングを必要とすることが、リンク断からリンクの再立ち上げまでに要する時間が無視できないほどに長くなる理由である。
【０００８】
上り／下り信号の品質をモニタし、上り／下り信号のレート及び周波数帯域を任意に変更するＤＳＬモデム装置が、特許文献１に記載されている。
【特許文献１】米国特許６１６７０９５号公報
【発明の開示】
【発明が解決しようとする課題】
【０００９】
最近のｘＤＳＬモデム装置は、利用周波数帯を広げることで、最大伝送レートが速くなっているが、それに伴い、トレーニングに要する時間が長くなっている。この傾向は、キャリア数が増える程、顕著になる。ｘＤＳＬモデム装置では、周囲の雑音により、しばしばリンクが断たれる。リンクが断たれると、電源投入時と同様のトレーニングを再実行しなければならない。従って、最近のｘＤＳＬモデム装置では、リンクの復活に要する時間が、より長くなる傾向にある。
【００１０】
リンクが切れないことは最も望ましいが、リンク切れの期間は可能な限り短いことが望ましい。例えばＩＰ電話では、一定以上の期間のリンク切れは、通話断につながる。
【００１１】
本発明は、リンク断からリンク復活までの時間を大幅に短縮できるｘＤＳＬモデム装置の制御方法及びｘＤＳＬモデム装置を提示することを目的とする。
【課題を解決するための手段】
【００１２】
本発明に係るｘＤＳＬモデム装置の制御方法は、電話線等のアナログ伝送線を介して外部のｘＤＳＬモデム装置との間で信号を伝送するｘＤＳＬモデム装置の制御方法であって、当該アナログ伝送路の回線品質を測定するトレーニングステップと、当該トレーニングステップのトレーニング結果に従い当該アナログ伝送線の現用プロファイルとしての回線プロファイルを決定する現用プロファイル決定ステップと、決定された現用プロファイルでリンクを確立するリンク確立ステップと、予備プロファイルを準備する予備プロファイル準備ステップと、リンク断を検出するリンク断検出ステップと、リンク断の検出に応じて、当該予備プロファイルによりリンクを回復するリンク回復ステップとを具備することを特徴とする。
【００１３】
本発明に係るｘＤＳＬモデム装置の制御方法は、電話線等のアナログ伝送線（１４）を介して外部のｘＤＳＬモデム装置との間で信号を伝送するｘＤＳＬモデム装置の制御方法であって、当該アナログ伝送路の回線品質を測定するトレーニングステップと、当該トレーニングステップのトレーニング結果に従い、当該アナログ伝送線の現用プロファイルとしての回線プロファイルを決定する現用プロファイル決定ステップと、決定された現用プロファイルでリンクを確立するリンク確立ステップと、リンク断を検出するリンク断検出ステップと、リンク断の原因周波数を検出する周波数検出ステップと、リンク断の原因周波数を除く回線プロファイルでリンクを回復するリンク回復ステップとを具備することを特徴とする。
【００１４】
本発明に係るｘＤＳＬモデム装置は、電話線等のアナログ伝送線を介して外部のｘＤＳＬモデム装置との間で信号を伝送するｘＤＳＬモデム装置であって、当該アナログ伝送線の回線品質を測定する回線品質測定手段と、電源投入後に当該回線品質測定手段で測定された回線品質に基づき、現用プロファイルを決定する現用プロファイル決定手段と、リンク断後のリンク回復の際に適用される予備プロファイルを決定する予備プロファイル決定手段と、リンク断を検出するリンク断検出手段と、リンク断の検出に応じて、当該予備プロファイルでリンクを回復するリンク回復手段とを具備することを特徴とする。
【００１５】
本発明に係るｘＤＳＬモデム装置は、電話線等のアナログ伝送線を介して外部のｘＤＳＬモデム装置との間で信号を伝送するｘＤＳＬモデム装置であって、当該アナログ伝送線の回線品質を測定する回線品質測定手段と、電源投入後に当該回線品質測定手段で測定された回線品質に基づき、現用プロファイルを決定する現用プロファイル決定手段と、当該アナログ伝送線の伝送帯域を区分する複数のバンドの複数の組み合わせにそれぞれ対応する複数の予備プロファイルを示す予備情報を記憶する予備情報記憶手段と、リンク断を検出するリンク断検出手段と、リンク断の原因周波数を検出する周波数検出手段と、当該周波数検出手段の検出結果に従い、当該予備プロファイル情報記憶手段に記憶される複数の予備情報から、リンク断の原因周波数を除く１つの予備プロファイルを決定する予備プロファイル決定手段と、決定された予備プロファイルでリンクを回復するリンク回復手段とを具備することを特徴とする。
【発明の効果】
【００１６】
本発明によれば、リンク断の際にトレーニング無しで予備プロファイルによりリンクを回復するので、リンク断からリンク回復までの時間を大幅に短縮できる。
【発明を実施するための最良の形態】
【００１７】
以下、図面を参照して、本発明の実施例を詳細に説明する。
【実施例１】
【００１８】
図１は、本発明の一実施例の概略構成ブロック図を示す。本発明の実施例であるｘＤＳＬモデム装置１０は、既存の電話線１４を介して、交換局に配置されるｘＤＳＬモデム装置１２と接続する。ｘＤＳＬモデム装置１０はまた、ユーザのコンピュータ１６とも接続する。
【００１９】
ｘＤＳＬモデム装置１０は、ＬＡＮ端子２０でコンピュータ１６と接続し、電話線接続端子２２で電話線１４に接続する。ＬＡＮ端子２０と電話線接続端子２２の間に、ｘＤＳＬ変復調回路（モデム）２４が配置されている。なお、ＬＡＮ端子２０は、例えば、イーサネット（登録商標）の１０／１００Ｂａｓｅ−Ｔからなる。イーサネット（登録商標）のための送受信回路の具体的構成は、本発明とは関係ないので、省略してある。
【００２０】
ＣＰＵ２６は、電話回線１４の回線品質を測定する回線品質測定プログラム２６ａ、及び、電話回線１４に適用する回線プロファイルを決定する回線プロファイル決定プログラム２６ｂを具備する。プログラム２６ａ，２６ｂの機能の詳細は後述する。
【００２１】
回線プロファイル記憶装置２８は、現在、適用されるプロファイル、即ち現用プロファイル情報２８ａと、障害発生時に適用されるべきプロファイル、即ち予備プロファイル情報２８ｂを記憶する。予備プロファイル情報２８ｂは、プロファイルデータそのものでなくても、予備プロファイルを決定するパラメータ値であってもよい。
【００２２】
ユーザは、ユーザ設定インターフェース３０を使って、ＣＰＵ２６に種々の指示及びパラメータ値を入力できる。最近では、ＷＷＷ方式が一般的である。
【００２３】
図２及び図３に示すフローチャートを参照して、本実施例の特徴的な動作を説明する。図２は、ＣＰＵ２６の主ルーチンのフローチャートを示し、図３は、予備プロファイル準備ルーチン（Ｓ５）のフローチャートを示す。
【００２４】
電源投入により、ＣＰＵ２６は、ｘＤＳＬモデム装置１２との間に接続される電話回線１４の回線品質を測定するトレーニングを開始する（Ｓ１）。即ち、回線品質測定プログラム２６ａが、接続する電話回線１４を介したｘＤＳＬモデム装置１２との間の回線状態を測定する。これにより、ＣＰＵ２６は、電話回線１４の回線品質データ（例えば、信号対雑音比（ＳＮＲ）の周波数特性等）を取得できる。
【００２５】
ＣＰＵ２６の回線プロファイル決定プログラム２６ｂが、電話回線１４の回線品質データにＳＮＲマージン等の各種設定値を反映させて、使用するキャリアと各キャリアに搭載するビット数を算出し（Ｓ２）、適用すべき回線プロファイルを決定する（Ｓ３）。回線プロファイル決定プログラム２６ｂは、決定した回線プロファイルを示す情報を記憶装置２８に現用プロファイル情報２８ａとして格納し、ＣＰＵ２６は、この回線プロファイルを使用して、ｘＤＳＬモデム装置１２との間のリンクを確立する（Ｓ４）。リンクが確立しなければ（Ｓ４）、トレーニング（Ｓ１）以降をやり直す。
【００２６】
ｘＤＳＬモデム装置１２との間のリンクの確立後に、ＣＰＵ２６の回線プロファイル決定プログラム２６ｂは、図３に示すフローに従って、予備プロファイルを準備する（Ｓ５）。予備プロファイルは、ｘＤＳＬモデム装置１２との間のリンクが断たれた場合にトレーニング無しで即座に適用される回線プロファイルである。
【００２７】
想定されるリンク断に対して、各キャリアに搭載するビット数を計算する（Ｓ１１）。計算された各キャリアの搭載ビット数に対して、デフォールトのＳＮＲマージンよりも大きなＳＮＲマージンの下で回線プロファイルを決定する（Ｓ１２）。例えば、デフォールトのＳＮＲマージンにユーザの設定する追加ＳＮＲマージンを加算して得られるＳＮＲマージンの下で、回線プロファイルを決定する。決定された回線プロファイルを示す情報が、予備プロファイル情報２８ｂとして記憶装置２８に格納される（Ｓ１３）。
【００２８】
リンク断が検出されると（Ｓ６）、ＣＰＵ２６は、記憶装置２８の予備プロファイル情報２８ｂを読み出し、予備プロファイル情報２８ｂの示す予備プロファイルに切り替えて、リンクの確立を試行する（Ｓ７）。即ち、トレーニング無しで予備プロファイルに切り替える。予備プロファイル情報２８ｂは、回線プロファイル情報そのものでなくも、回線プロファイルを迅速に算出できる情報、例えば、回線品質情報であっても良い。
【００２９】
予備プロファイルでリンクが回復すれば（Ｓ８）、ステップＳ６に戻って、データ通信を再開する。リンクが回復しなければ（Ｓ８）、トレーニング（Ｓ１）以降を再試行する。複数の予備プロファイルを準備する場合には、各予備プロファイルで順にリンク回復を試みて、リンクが回復しなければ，トレーニング（Ｓ１）以降を再試行する。本実施例では、トレーニング無しでもリンクを回復できるので、迅速にデータ通信を再開できる。
【００３０】
想定されるリンク断の要因に応じて、予備プロファイルの決定方法とその算出タイミングが異なる。予備プロファイルの決定法によっては、リンクの確立（Ｓ４）前に、予備プロファイルを準備してよい。
【００３１】
最も単純な方法は、初期トレーニングにより決定された回線プロファイル（現用プロファイル）に適用されるデフォールトのＳＮＲマージンよりも大きなＳＮＲマージンで回線プロファイルを決定し、そのプロファイルを、予備プロファイルとする方法である。図３は、この方法に対応している。
【００３２】
予備プロファイルを決定する第２の方法として、回線断の直前の１又は複数の回線品質測定結果により決定される回線プロファイルを予備プロファイルとしてもよい。図４は、第２の方法に対応するＣＰＵ２６の主フローチャートを示す。
【００３３】
電源投入により、ＣＰＵ２６は、接続する電話回線１４を介したｘＤＳＬモデム装置１２との間に接続される電話回線１４に対するトレーニングを開始する（Ｓ２１）。即ち、回線品質測定プログラム２６ａが、接続する電話回線１４を介したｘＤＳＬモデム装置１２との間の回線状況を調査する。これにより、ＣＰＵ２６は、電話回線１４の回線品質データ（例えば、信号対雑音比（ＳＮＲ）の周波数特性等）を取得できる。
【００３４】
ＣＰＵ２６の回線プロファイル決定プログラム２６ｂが、電話回線１４の回線品質データにＳＮＲマージン等の各種設定値を反映させて、使用するチャネルと各チャネルに搭載するビット数を算出し（Ｓ２２）、適用すべき回線プロファイルを決定する（Ｓ２３）。回線プロファイル決定プログラム２６ｂは、決定した回線プロファイルを示す情報を記憶装置２８に現用プロファイル情報２８ａとして格納し、ＣＰＵ２６は、この回線プロファイルでｘＤＳＬモデム装置１２との間のリンクを確立する。リンクが確立しなければ（Ｓ２４）、トレーニング（Ｓ２１）以降をやり直す。
【００３５】
リンクが確立している間（Ｓ２７）、回線品質測定プログラム２６ａが定期的に回線品質を測定し（Ｓ２５）、回線プロファイル決定プログラム２６ｂが、測定された回線品質に応じた回線プロファイルを決定し、決定された回線プロファイルを示す情報を、記憶装置２８に予備プロファイル情報２８ｂとして格納する（Ｓ２６）。ここで予備プロファイル情報２８ｂとして記憶装置２８に記憶される情報は、予備プロファイルそのものを示す情報であっても、予備プロファイルを一義的に算出可能なパラメータ値、例えば、測定されたＳＮＲであってもよい。
【００３６】
予備プロファイル情報２８ｂとして、リンク断の直前の複数個、例えば、３回分の回線品質測定結果を示す情報又は測定結果に応じた情報を記憶装置２８を記憶してもよい。その場合、複数の回線品質測定結果に応じた予備プロファイル情報は、時間と共に循環的に更新される。勿論、予備プロファイルを決定する際に、ユーザの設定するＳＮＲマージンを考慮してもよい。
【００３７】
リンク断が検出されると（Ｓ２７）、ＣＰＵ２６は、記憶装置２８の予備プロファイル情報２８ｂを参照し、リンク断の直前の複数回の回線品質測定結果に基づく予備プロファイルの内から新たなプロファイルを決定し、そのプロファイルに切り替えて、リンクの回復を試行する（Ｓ２８）。即ち、トレーニング無しで新たなプロファイルに切り替える。ここでリンクが回復すれば（Ｓ２９）、ステップＳ２５に戻ってデータ通信を再開する。予備プロファイルでリンクが回復しなければ（Ｓ２９）、トレーニング（Ｓ２１）以降を再試行する。複数の予備プロファイルを準備する場合には、各予備プロファイルで順にリンク回復を試みて、リンクが回復しなければ，トレーニング（Ｓ２１）以降を再試行する。本実施例では、トレーニング無しでもリンクを回復できるので、迅速にデータ通信を再開できる。
【００３８】
図４に示す手順で、新たに適用するプロファイルは、例えば、（１）複数の予備プロファイルの内の直前のプロファイル、（２）複数の予備プロファイルの平均、（３）複数の予備プロファイルの内の最悪の伝送品質に対応するプロファイル、又は、（４）複数の回線品質結果から推測される将来の回線品質結果に対応するプロファイルである。
【００３９】
複数の予備プロファイルの内の直前のプロファイルを選択する場合では、予備プロファイル情報２８ｂには、直前の１つの伝送品質測定結果（例えば、ＳＮＲ等）又はこれに応じた回線プロファイルのみを記憶しておけばよい。記憶装置２８の記憶容量が少なくて済み、また、直前の回線品質に応じたプロファイルに迅速に切り替えることができる。しかし、この方法では、突発的に悪化又は改善した一時的な回線品質に応じた回線プロファイルを選択してしまうことがありうる。
【００４０】
複数の予備プロファイルの平均を採用する方法では、突発的に悪化又は改善した一時的な回線品質に応じた回線プロファイルを選択してしまうことを防止できる。しかし、この方法では、回線品質が悪化した場合のリンク断を避けえず、必然的にリンク断の可能性が高くなる。
【００４１】
複数の予備プロファイルの内の最悪の伝送品質に対応するプロファイルを採用すれば、最高速を享受できなくなるものの、リンク断の可能性が大幅に低減する。
【００４２】
複数の回線品質結果から推測される将来の回線品質結果に対応するプロファイルを採用する場合、例えば、時間的に連続する複数のＳＮＲ測定結果から将来の一定時点のＳＮＲを推測し、推測されたＳＮＲに応じた回線プロファイルを採用する。別の方法として、実際に測定されたＳＮＲに対応する回線プロファイルを計算しておき、リンク断の発生に応じて、計算しておいた複数の回線プロファイルを合成して、将来の予想される伝送品質に応じた回線プロファイルを計算してもよい。前者の場合、予備プロファイル情報２８ｂには、直前の複数の伝送品質を示す情報、例えばＳＮＲが収容され、後者の場合、予備プロファイル情報２８ｂには、直前の複数の伝送品質を示す情報、例えば、ＳＮＲにそれぞれ対応する複数の回線プロファイルが収容される。
【００４３】
予備プロファイルを決定する第３の方法として、使用するバンドを限定した状況での回線プロファイルを予備プロファイルとしてもよい。使用するバンドの異なる複数の予備プロファイルを予め作成しておき、リンク断に応じて、リンク断を引き起こした周波数を含むバンドを除外した予備プロファイルに切り替える。
【００４４】
図５は、使用するバンドの組み合わせに応じた予備プロファイルを準備しておく実施例の制御フローチャートを示す。
【００４５】
電源投入により、ＣＰＵ２６は、接続する電話回線１４を介したｘＤＳＬモデム装置１２との間に接続される電話回線１４に対するトレーニングを開始する（Ｓ３１）。即ち、回線品質測定プログラム２６ａが、接続する電話回線１４を介したｘＤＳＬモデム装置１２との間の回線状況を調査する。これにより、ＣＰＵ２６は、電話回線１４の回線品質データ（例えば、信号対雑音比（ＳＮＲ）の周波数特性等）を取得できる。
【００４６】
ＣＰＵ２６の回線プロファイル決定プログラム２６ｂが、電話回線１４の回線品質データにＳＮＲマージン等の各種設定値を反映させて、使用するチャネルと各チャネルに搭載するビット数を算出し（Ｓ３２）、適用すべき回線プロファイルを決定する（Ｓ３３）。回線プロファイル決定プログラム２６ｂは、決定した回線プロファイルを示す情報を記憶装置２８に現用プロファイル情報２８ａとして格納し、ＣＰＵ２６は、この回線プロファイルでｘＤＳＬモデム装置１２との間のリンクを確立する。リンクが確立しなければ（Ｓ３４）、トレーニング（Ｓ３１）以降をやり直す。
【００４７】
リンクが確立すると（Ｓ３４）、現用プロファイルで使用されるバンドの内の１つのバンドを除外したバンドの組み合わせについて回線プロファイルを作成し、決定された各回線プロファイルを示す情報を、記憶装置２８に予備プロファイル情報２８ｂとして格納する（Ｓ３５）。
【００４８】
例えば、Ｐｌａｎ９９８，ＩＴＵ−Ｔ，ＡＮＳＩ及びＥＴＳＩでは、信号周波数帯が、１３８（ｋＨｚ）から３．７５（ＭＨｚ）のバンドＤＳ１，３．７５（ＭＨｚ）から５．２（ＭＨｚ）のバンドＵＳ１、５．２（ＭＨｚ）から８．５（ＭＨｚ）のバンドＤＳ２及び８．５（ＭＨｚ）から１２．０（ＭＨｚ）のバンドＵＳ２に区分されている。ＵＳ１，ＵＳ２は、上り用であり、ＤＳ１，ＤＳ２は下り用である。例えば、現用プロファイルとして全バンドＤＳ１，ＵＳ１，ＤＳ２，ＵＳ２を使用する回線プロファイルが設定される場合に、予備プロファイルとして、バンドＤＳ１，ＵＳ１，ＤＳ２を使用する回線プロファイル１、バンドＤＳ１，ＵＳ１，ＵＳ２を使用する回線プロファイル２及びバンドＤＳ１，ＵＳ１を使用する回線プロファイ３を用意しておく。
【００４９】
リンク断が検出されると（Ｓ３６）、ＣＰＵ２６は、そのリンク断の発生原因となった周波数を検出し（Ｓ３７）、記憶装置２８に予備プロファイル情報２８ｂとして記憶される複数の予備プロファイルから、その周波数を含まない予備プロファイルを決定し（Ｓ３８）、決定した予備プロファイルに切り替えて、リンクの回復を試行する（Ｓ３９）。リンク断の原因周波数を探知するために要する時間は、トレーニングに要する時間に比べれば非常に短い。従って、極く短時間で、リンク断の原因を除去した回線プロファイルで新たにリンクを確立できる。
【００５０】
予備プロファイルでリンクが回復すれば（Ｓ３９）、ステップＳ３６に戻ってデータ通信を再開する。リンクが回復しなければ（Ｓ４０）、トレーニング（Ｓ３１）以降を再試行する。複数の予備プロファイルを準備する場合には、各予備プロファイルで順にリンク回復を試みて、リンクが回復しなければ，トレーニング（Ｓ３１）以降を再試行する。本実施例では、トレーニング無しでもリンクを回復できるので、迅速にデータ通信を再開できる。
【００５１】
この実施例でも、バンド単位ではなく、キャリア単位で予備プロファイルを作成しておいても良い。
【００５２】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００５３】
【図１】本発明の一実施例の概略構成ブロック図である。
【図２】本実施例の制御動作のフローチャートである。
【図３】ステップＳ４の詳細なフローチャートである。
【図４】本実施例の第２の制御動作のフローチャートである。
【図５】本実施例の第３の制御動作のフローチャートである。
【符号の説明】
【００５４】
１０：ｘＤＳＬモデム装置
１２：ｘＤＳＬモデム装置
１４：電話線
１６：コンピュータ
２０：ＬＡＮ端子
２２：電話線接続端子
２４：ｘＤＳＬ変復調回路（モデム）
２６：ＣＰＵ
２６ａ：回線品質測定プログラム
２６ｂ：回線プロファイル決定プログラム
２８：回線プロファイル記憶装置
２８ａ：現用プロファイル情報
２８ｂ：予備プロファイル情報
３０：ユーザ設定インターフェース
【図１】
2005236854.tif 000003
【図２】
2005236854.tif 000004
【図３】
2005236854.tif 000005
【図４】
2005236854.tif 000006
【図５】
2005236854.tif 000007